(57)【要約】【課題】風路を有効に使用し、高い送風効率を得ることを可能とすること。【解決手段】オリフィスリング２は略円弧状の吸い込み側Ｒ部３と吹き出し側Ｒ部４と、吸い込み側Ｒ部３と吹き出し側Ｒ部４の間のストレート部５とで構成され、吸い込み側Ｒ部３とストレート部５の一部に削除部分１１ａ、１１ｂを左右に有し、仕切り板８と熱交換器ユニット９を配置することによりオリフィスリング２の削除部分１１ａ、１１ｂのオリフィス機能を仕切り板８と熱交換器ユニット９が代替することとなるのでファン１の外径を大きくすることで風路を有効に使え、本体が同サイズのまま、高い送風効率となる。【選択図】図１
2015038322.tif 000002
【特許請求の範囲】
【請求項１】
ファンとオリフィスリングを備え、前記オリフィスリングは略円弧状の吸い込み側Ｒ部と吹き出し側Ｒ部と、前記吸い込み側Ｒ部と前記吹き出し側Ｒ部の間に少なくとも一本のストレート部とで構成され、前記吸い込み側Ｒ部と前記ストレート部の一部を削除し、前記ストレート部の削除部分に吸い込み側構造体を配置したことを特徴とする軸流送風機。
【請求項２】
前記吸い込み側構造体の表面は、前記ストレート部の径と略同一の径の円弧面を備え、円弧面が前記削除部分に略合致するよう構成したことを特徴とする請求項１記載の軸流送風機。
【請求項３】
請求項１または請求項２記載の軸流送風機を備えたことを特徴とする空気調和機の室外機。
【請求項４】
前記吸い込み側構造体は熱交換器ユニットであることを特徴とする請求項３に記載の空気調和機の室外機。
【発明の詳細な説明】
【技術分野】
【０００１】
本発明は、送風効率の向上を図ることのできるオリフィスリングを備えた軸流送風機およびこれを使用した空気調和機の室外機に関するものである。
【背景技術】
【０００２】
従来、この種の軸流送風機はファンと、オリフィスリングで構成され、ファンで吸い込んだ空気はオリフィスリングの近傍ではオリフィスリングに沿って流れて、吹き出されている（例えば、特許文献１参照）。
【０００３】
図６は、特許文献１に記載された従来の軸流送風機を示すものである。図６に示すように、軸流送風機は、ファン１とオリフィスリング２から構成され、オリフィスリングは断面が略円弧状の吸い込み側Ｒ部３と吹き出し側Ｒ部４と、吸い込み側Ｒ部３と吹き出し側Ｒ部４の間に少なくとも一本のストレート部５を備えている。
【先行技術文献】
【特許文献】
【０００４】
【特許文献１】特開平９−１７０７８６号公報
【発明の概要】
【発明が解決しようとする課題】
【０００５】
しかしながら、前記従来の構成では、吸い込み側構造体とオリフィスリングの一部との干渉する場合、ファンの外径を縮小して干渉を避けるので、風路を有効に使えず送風効率を低下させるという課題を有していた。
【０００６】
本発明は、前記従来の課題を解決するもので、風路を有効に使え、高い送風効率を得ることを可能とした軸流送風機およびこれを使用した空気調和機の室外機を提供することを目的とする。
【課題を解決するための手段】
【０００７】
前記従来の課題を解決するために、本発明の軸流送風機、およびこれを使用した空気調和機の室外機は、前記吸い込み側Ｒ部と前記ストレート部の一部を削除し、前記ストレート部の削除部分に吸い込み側構造体を配置したことを特徴としたものである。
【０００８】
これによって、オリフィスリングと吸い込み側構造体との干渉がなくなると共に、オリフィスリングの削除部分のオリフィス機能を吸い込み側構造体が代替することになり、ファンの外径を大きくすることで風路を有効に使え、高い送風効率を得ることが可能となる。
【発明の効果】
【０００９】
本発明の軸流送風機、およびこれを使用した空気調和機の室外機は、風路を有効に使え、高い送風効率を得ることを可能とすることができる。
【図面の簡単な説明】
【００１０】
【図１】本発明の実施の形態１における空気調和機の室外機の概略構成図
【図２】本発明の実施の形態１におけるオリフィスリングの側面図
【図３】本発明の実施の形態１における熱交換器ユニットの斜視図
【図４】本発明の実施の形態１における仕切り板の斜視図
【図５】本発明の実施の形態１における空気調和機の室外機の正面断面図
【図６】従来の軸流送風機の概略構成図
【発明を実施するための形態】
【００１１】
第１の発明は、ファンと、オリフィスリングを備え、前記オリフィスリングは略円弧状の吸い込み側Ｒ部と吹き出し側Ｒ部と、前記吸い込み側Ｒ部と前記吹き出し側Ｒ部の間に少なくとも一本のストレート部とで構成され、前記吸い込み側Ｒ部と前記ストレート部の一部を削除し、前記ストレート部の削除部分に吸い込み側構造体を配置することにより、オリフィスリングと吸い込み側構造体との干渉がなくなると共に、オリフィスリングの削除部分のオリフィス機能を吸い込み側構造体が代替することになり、ファンの外径を大きくすることで風路を有効に使え、高い送風効率を得ることができる。
【００１２】
第２の発明は、特に、第１の発明の前記吸い込み側構造体の表面を、前記ストレート部の径と略同一の径の円弧面を備え、円弧面が前記削除部分に略合致する構成とすることにより、空気の流れが乱されることがなくとなり騒音の悪化を抑制することができる。
【００１３】
第３の発明は、特に、第１または第２の発明の軸流送風機を空気調和機の室外機に備えることにより、室外機本体を同サイズのままファンの径を大きくすることが可能となり、空気調和機の室外機のファン動力を低減することができる。
【００１４】
第４の発明は、特に、第３の発明の前記吸い込み側構造体を熱交換器ユニットとすることにより、熱交換器を縮小することなくファンの径を大きくし高い送風効率を得ることが可能となり空気調和機の機器効率を向上することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室外機の概略構成図を示すものである。
【００１７】
図１において、室外機６はファン１、オリフィスリング２を備えた前板７、風路とサイクル部品を納めた機械室を隔てる仕切り板８、熱交換器ユニット９を、下面を底板１０、上面を天板（図示せず）で狭持するよう構成している。図２は、オリフィスリング２の側面図を示すものである。図２において、オリフィスリング２は略円弧状の吸い込み側Ｒ部３と吹き出し側Ｒ部４と、吸い込み側Ｒ部３と吹き出し側Ｒ部４の間のストレート部５とで構成され、吸い込み側Ｒ部３とストレート部５の一部に削除部分１１ａ、１１ｂを左右に有している。図３は、熱交換器ユニット９の斜視図を示すものである。図３において、熱交換器ユニット９はＬ字形状に曲げられ一方の端部には、オリフィスリング２のストレート部５の径と略同一の径の円弧面１２ａを有した端板１３を備え、円弧面１２ａが削除部分１１ａに略合致するよう構成している。
【００１８】
図４は、仕切り板８の斜視図を示すものである。
【００１９】
図４において、仕切り板８は前板７側の端部には、オリフィスリング２のストレート部５の径と略同一の径の円弧面１２ｂを有し、円弧面１２ｂが削除部分１１ｂに略合致するよう構成している。
【００２０】
以上のように構成された空気調和機の室外機について、以下その動作、作用を説明する。
【００２１】
まず、ファン１とオリフィスリング２で構成された送風機によって熱交換器ユニット９を通るように吸引され空気は前板７側に送出される。ここでオリフィスリング２は左右に削除部分１１ａ、１１ｂを有し、吸い込み側構造体である仕切り板８と熱交換器ユニット９を配置することにより、オリフィスリング２と仕切り板８と熱交換器ユニット９との干渉なくなると共に、オリフィスリング２の削除部分１１ａ、１１ｂのオリフィス機能を仕切り板８と熱交換器ユニット９が代替することになる。
【００２２】
以上のように、本実施の形態においてはオリフィスリング２の一部を削除し削除部分１１ａに仕切り板８と熱交換器ユニット９を配置することにより、オリフィスリング２と仕切り板８と熱交換器ユニット９との干渉がなくなると共に、オリフィスリング２の削除部分１１ａ，１１ｂのオリフィス機能を仕切り板８と熱交換器ユニット９が代替することとなり、ファン１の外径を大きくすることで風路を有効に使え、本体が同サイズのまま、高い送風効率の空気調和機の室外機を得ることができる。
【００２３】
また、本実施の形態では仕切り板８は前板７側の端部には、オリフィスリング２のストレート部５の径と略同一の径の円弧面１２ｂを有し、円弧面１２ｂが削除部分１１ｂに略合致するよう構成した。また、熱交換器ユニット９はＬ字形状に曲げられ一方の端部には、オリフィスリング２のストレート部５の径と略同一の径の円弧面１２ａを有した端板１３を備え、円弧面１２ａが削除部分１１ａに略合致するよう構成としたことにより空気の流れが乱されることがなくなり、騒音の悪化を抑制することもできる。
【００２４】
また、本実施の形態では削除部分１１ａに熱交換器ユニット９を配置することにより、熱交換器を縮小することなくファン１の径を大きくし高い送風効率を得ることが可能となり空気調和機の機器効率を向上することができる。
【産業上の利用可能性】
【００２５】
以上のように、本発明にかかる軸流送風機、およびこれを使用した空気調和機の室外機は、本体が同サイズのまま、高い送風効率の空気調和機の室外機を得ることが可能となるので、冷凍機等の用途にも適用できる。
【符号の説明】
【００２６】
１  ファン
２  オリフィスリング
３  吸い込み側Ｒ部
４  吹き出し側Ｒ部
５  ストレート部
６  室外機
７  前板
８  仕切り板
９  熱交換器ユニット
１０  底板
１１ａ、１１ｂ  削除部分
１２ａ、１２ｂ  円弧面
１３  端板
【図１】
2015038322.tif 000003
【図２】
2015038322.tif 000004
【図３】
2015038322.tif 000005
【図４】
2015038322.tif 000006
【図５】
2015038322.tif 000007
【図６】
2015038322.tif 000008